(57)【特許請求の範囲】
【請求項１】
少なくとも１つのノード及びユーザ機器ユニットに対し信号伝達される算出トランスポート・フォーマットの組み合わせ（ＣＴＦＣ）を算出する通信ネットワークであって、前記算出トランスポート・フォーマットの組み合わせ（ＣＴＦＣ）はある値を有し、その値が復号されると関連するトランスポート・フォーマット組み合わせのインディケータが得られ、前記インディケータによってトランスポート・フォーマット組み合わせを決定することを特徴とする通信ネットワーク。
【請求項２】
前記算出トランスポート・フォーマットの組み合わせ（ＣＴＦＣ）は、前記ネットワークに配置された発生器によって発生されることを特徴とする請求項１に記載の装置。
【請求項３】
前記ネットワークは、算出トランスポート・フォーマットの組み合わせ（ＣＴＦＣ）値のシーケンスを算出し、前記シーケンスには、有効なトランスポート・フォーマット組み合わせだけについての算出トランスポート・フォーマットの組み合わせ（ＣＴＦＣ）値が含まれていることを特徴とする請求項１に記載の装置。
【請求項４】
前記算出トランスポート・フォーマットの組み合わせ（ＣＴＦＣ）は、次の式によって求められ、
0004444540.tif 000009
ここで、Ｉはトランスポート・チャネルＴｒＣＨの数であり、ＴＦＣ（ＴＦＩ１，ＴＦＩ２，．．．，ＴＦＩＩ）はトランスポート・フォーマット組み合わせであり、トランスポート・チャネルＴｒＣＨ１はトランスポート・フォーマットＴＦＩ１を有し、トランスポート・チャネルＴｒＣＨ２はトランスポート・フォーマットＴＦＩ２を有し、Ｐｉは次式で表され、
0004444540.tif 000010
ここで、ｉ＝１、２、．．．、Ｉであり、Ｌ０＝１であり、Ｌｊはトランスポート・チャネルの数であることを特徴とする請求項１に記載の装置。
【請求項５】
ＣＴＦＣのシーケンスは、前記ネットワークにおける少なくとも１つのノードと前記ユーザ機器ユニットに対し順番に信号伝達され、前記ネットワークにおける少なくとも１つのノードと前記ユーザ機器ユニットは、同一の順番でＴＦＣＩを割り当てることを特徴とする請求項１に記載の装置。
【請求項６】
通信ネットワークを運用する方法であって、
算出トランスポート・フォーマットの組み合わせ（ＣＴＦＣ）を計算するステップと、
前記通信ネットワークにおける少なくとも１つのノード及びユーザ機器ユニットに対し、前記算出トランスポート・フォーマットの組み合わせ（ＣＴＦＣ）を信号伝達するステップと、
関連するトランスポート・フォーマット組み合わせのインディケータを得て、前記インディケータによってトランスポート・フォーマット組み合わせを決定すべく、前記算出トランスポート・フォーマットの組み合わせ（ＣＴＦＣ）を復号するステップと、
を含むことを特徴とする方法。
【請求項７】
前記算出トランスポート・フォーマットの組み合わせ（ＣＴＦＣ）を発生させるべく、前記ネットワークのノードに配置された発生器を使用するステップをさらに含むことを特徴とする請求項６に記載の方法。
【請求項８】
算出トランスポート・フォーマットの組み合わせ（ＣＴＦＣ）値のシーケンスを算出するステップをさらに含み、前記シーケンスには、有効なトランスポート・フォーマット組み合わせだけについての算出トランスポート・フォーマットの組み合わせ（ＣＴＦＣ）値が含まれていることを特徴とする請求項６に記載の方法。
【請求項９】
前記算出トランスポート・フォーマットの組み合わせ（ＣＴＦＣ）を次の式によって求めるステップをさらに含み、
0004444540.tif 000011
ここで、Ｉはトランスポート・チャネルＴｒＣＨの数であり、ＴＦＣ（ＴＦＩ１，ＴＦＩ２，．．．，ＴＦＩＩ）はトランスポート・フォーマット組み合わせであり、トランスポート・チャネルＴｒＣＨ１はトランスポート・フォーマットＴＦＩ１を有し、トランスポート・チャネルＴｒＣＨ２はトランスポート・フォーマットＴＦＩ２を有し、Ｐｉは次式で表され、
0004444540.tif 000012
ここで、ｉ＝１、２、．．．、Ｉであり、Ｌ０＝１であり、Ｌｊはトランスポート・チャネルの数であることを特徴とする請求項６に記載の方法。
【請求項１０】
前記ネットワークにおける少なくとも１つのノードと前記ユーザ機器ユニットに対し順番にＣＴＦＣのシーケンスを信号伝達するステップと、
前記ネットワークにおける少なくとも１つのノードと前記ユーザ機器ユニットにおいて、同一の順番でＴＦＣＩを割り当てるステップと、
を含むことを特徴とする請求項６に記載の方法。
【発明の詳細な説明】
【０００１】
［背景］
本願は、１９９９年８月２７日に出願された米国仮出願第６０／１５１，０４７号に係る利益及び優先権を主張するものであり、その内容のすべてを参照によってここに組み入れる。
【０００２】
１．発明の属する技術分野
本願発明は、通信システムに係り、とりわけ、複数のトランスポート・チャネルが存在し、トランスポート・チャネルのそれぞれが潜在的に複数のトランスポート・フォーマットを有し、これらが多重化されて送信される場合の通信システムの運用に関する。
【０００３】
２．関連技術及びその他の考察
典型的なセルラー無線システムにおいて、ユーザ機器ユニット（ＵＥ）は無線アクセスネットワーク（ＲＡＮ）を介して１以上のコアネットワークと通信する。このユーザ機器ユニット（ＵＥ）は、移動電話機（セルラー電話機）や移動端末を備えたラップトップコンピュータの如くの移動局である。それゆえ、たとえば携帯することができ、ポケットに収納することもでき、手で把持することもでき、あるいは、コンピュータに搭載することも可能であり、自動車に搭載することも可能な移動体装置といえる。この移動体装置は、無線アクセスネットワークを介して音声やデータなどを通信する。無線アクセスネットワーク（ＲＡＮ）は、複数のセルエリアに分割される地理的なエリアをカバーしており、各セルエリアは基地局によりサービスが提供される。セルとは、基地局サイトの無線基地局装置により無線カバレッジが提供されている地理的なエリアのことをいう。無線基地局の範囲内で、基地局はエアインタフェース（例えば無線周波数など）を介してユーザ機器ユニット（ＵＥ）と通信する。無線アクセスネットワークにおいて、典型的には複数の基地局が無線ネットワーク制御装置（ＲＮＣ）と（地上回線又は電波を用いて）接続される。また無線ネットワーク制御装置は、時々基地局制御局（ＢＳＣ）を呼び出したり、それに接続される複数の基地局の動作状態を監視したり調整したりする。無線ネットワーク制御装置は、典型的には、１以上のコアネットワークに接続されている。
【０００４】
無線アクセスネットワークの一例としては、一般移動体通信（ＵＭＴＳ）地上無線アクセスネットワーク（ＵＴＲＡＮ）がある。ＵＴＲＡＮは第３世代のシステムであり、広域移動体通信システム（ＧＳＭ）として知られる無線アクセス技術を基礎として欧州で開発されたものである。ＵＴＲＡＮは、広帯域符号分割多元接続（Ｗ−ＣＤＭＡ））システムに必須のものである。
【０００５】
ＵＴＲＡＮは、開放系システム相互接続（ＯＳＩ）基準モデルを使用している。開放系システム相互接続（ＯＳＩ）基準モデルは、１つのコンピュータ又は通信ノードに搭載されているソフトウエア・アプリケーションからの情報が、ネットワーク媒体を介して他のコンピュータ又はノードのソフトウエア・アプリケーションへとどのように移動してゆくかを記述している。ＯＳＩ基準モデルは７つのレイヤーからなる概念的なモデルであり、それぞれのレイヤーは特定のネットワーク機能に特化されている。各レイヤーは論理的に自立しており、各レイヤーに割り当てれたタスクが独立して実装可能とされている。ＯＳＩモデルの上位レイヤーはアプリケーション事項を取り扱い、一般的にはソフトウエアにだけ実装される。最上位のレイヤー、すなわちアプリケーション・レイヤーは最もエンドユーザに近いレイヤーである。ユーザ及びアプリケーション・レイヤーの双方とも、通信コンポーネントに含まれるソフトウエア・アプリケーションと相互作用的に処理を実行する。なお、上位レイヤーという用語は、ときおりＯＳＩモデルにおける一方のレイヤーよりも上位に存在する他方のレイヤーを参照する際に用いることがある。ＯＳＩモデルの下位レイヤーは、データトランスポート事項を取り扱う。物理レイヤーとデータリンクレイヤーはハードウエアとソフトウエアに実装される。他の下位レイヤーは、通常、ソフトウエアにだけ実装される。最下位のレイヤーである物理レイヤー又はレイヤー１は、物理的なネットワーク媒体（例えばネットワークケーブルなどであり、実際に媒体上に情報を送り込むようにされている。）に最も近い。
【０００６】
電話、とりわけ、一般移動体通信（ＵＭＴＳ）地上無線アクセスネットワーク（ＵＴＲＡＮ）などの移動体通信においては、インターフェース（伝送回線又は無線周波数などが含まれる。）上で複数のトランスポート・チャネルが多重される。例えば、Ｉ個のトランスポート・チャネルＴｒＣＨｉ，ｉ＝１，２，．．．，Ｉが多重されており、各トランスポートやネルＴｒＣＨｉはそれぞれＬｉ個のトランスポート・フォーマットを有しているものと仮定する。それゆえ、各トランスポート・チャネルＴｒＣＨｉがフォーマットインディケーションＴＦＩｉを有しいるとすれば、各フォーマットインディケーションＴＦＩｉはＬｉ個の値（ＴＦＩｉ，｛０，１，２，Ｋ，Ｌｉ−１｝）をとることができる。トランスポート・フォーマットのすべての組み合わせが許されるのであれば、トランスポート・フォーマット組み合わせ（ＴＦＣ）の数は、Ｃ＝Ｌ１ｘＬ２ｘ．．．ＬＩとなろう。たとえ少ない数のトランスポート・チャネルが多重されていたとしても、トランスポート・フォーマット組み合わせは顕著な数となる。現実に、Ｃ個のすべてのＴＦＣのサブセットだけが使用されている。例えば、３つの保護クラスについて３つのトランスポート・チャネルを用いてＵＥＰ ＡＭ音声サービスを仮定しよう。ＡＭＲは９つの異なるレート（ＤＴＸを含む。）を有しているので、９個のＴＦＣだけが使用される。しかしながら、このシナリオにおいては、Ｃは計算により９ｘ８ｘ３＝２１６の組み合わせとなる。例えば、他のサービスとの組み合わせを考慮すると、多数の組み合わせに関する似通った問題が生じる。
【０００７】
通信システムのＯＳＩ基準モデルのレイヤー１は、最大数のトランスポート・フォーマットの組み合わせについて信号伝達を規定している。トランスポート・フォーマット組み合わせインディケータ（ＴＦＣＩ）は、受信機に対しＣＣＴｒＣＨのトランスポート・フォーマット組み合わせを通知する。現在のＴＦＣＩのマッピング規則は、技術標準３ＧＰＰ ＴＳ ２５．２１２（”３ＧＰＰ”は、第３世代パートナーシップ・プロジェクト（３ＧＰＰ）として知られるプロジェクトであり、ＵＴＲＡＮ及びＧＳＭベースの無線アクセスネットワーク技術の開発に従事している。）において規定されている。ＴＦＣＩが検出されるやいなや、トランスポート・フォーマット組み合わせ及びトランスポート・チャネルに固有のトランスポート・フォーマットが受信機によって把握され、受信機はトランスポート・チャネルの復号が可能になる。
【０００８】
結局のところ、トランスポート・フォーマット組み合わせの多くは利用されていない。多数のトランスポート・フォーマット組み合わせについて、レイヤー１のシグナリング（ＴＦＣＩ）を割り当てたとしても、その多くは利用されることはなく、その結果、少なくとも２つの問題が生じることになる。第１の問題は、十分に役立つＴＦＣＩワード（６４または１０２４）は存在しないであろうことである。第２の問題は、ＴＦＣＩの検出性能は、いくつのＴＦＣＩコードワードが使用中であるかに依存することである。６４個の可能なコードワードから８個のコードワードを検出するのと、６４個の可能なコードワードから６４個のコードワードを検出するのとでは、双方に顕著な差が生じる。さらに、１０２４個のＴＦＣＩコードワードまで取り扱うために、２ｘ（１５，５）コードを使用するとすれば、６４個までのＴＦＣＩコードワードを取り扱う１ｘ（３０，６）コードよりも非常に性能が悪化することになる。それゆえ、性能の観点から、使用されない組み合わせについてはＴＦＣＩを割り当てるべきではない。
【０００９】
ＴＳ ２５．２１２において定義された現在のＴＦＣＩマッピング規則は、すべてのトランスポート・フォーマットの組み合わせが可能でないことを考慮してはいない。それゆえ、ＴＳ ２５．２１２規格において使用されてている割り当てでは、ＴＦＣＩコードワードを無駄にしているといえよう。
【００１０】
従って解決すべきことはおよび本願発明の目的は、各トランスポート・フォーマットの組み合わせインジケータ（ＴＦＣＩ）に対し、許可された各トランスポート・フォーマットの組み合わせ（ＴＦＣ）をマッピングするための効果的で明白な方法を提供することにある。
【００１１】
［発明の簡潔な要約］
算出されたトランスポート・フォーマット組み合わせ（ＣＴＦＣ）を用いることにより、ＴＦＣＩ値を割り当てられるトランスポート・フォーマット組み合わせの効率的な信号伝達が提供される。ＣＴＦＣのシーケンスは、上位レイヤーからノードＢおよびユーザー機器ユニット（ＵＥ）へと信号伝達され、各ＣＴＦＣには順次ＴＦＣＩ値が割り当てられる。ノードＢとユーザー機器ユニット（ＵＥ）の双方とも、ＣＴＦＣに基づいて（ノードＢとＵＥとの間で通信するために使用される）ＴＦＣＩ値が表す正確なトランスポート・フォーマットを決定することがができる。
【００１２】
トランスポート・フォーマット組み合わせに含まれているＩ個のトランスポート・チャネル関し、各トランスポート・チャネルＴｒＣＨｉ，Ｉ＝１，２，．．．，Ｉ，は、Ｌｉ個のトランスポート・フォーマットを有している。すなわち、各トランスポート・フォーマット・インディケータＴＦＩｉは、Ｌｉ個の値、ＴＦＩｉ０ ｛０，１，２，．．．，Ｌｉ−１｝をとる。ＴＦＣ（ＴＦＩ１，ＴＦＩ２，．．．，ＴＦＩＩ）をトランスポート・フォーマット組み合わせとすると、トランスポート・チャネルＴｒＣＨ１はトランスポート・フォーマットＴＦＩ１を有し、トランスポート・チャネルＴｒＣＨ２はトランスポート・フォーマットＴＦＩ２を有するものとする。対応するＣＴＦＣ（（ＴＦＩ１，ＴＦＩ２，．．．，ＴＦＩＩ））は、次のように算出される。
【００１３】
【数１】
0004444540.tif 000002
【００１４】
［詳細な説明］
以下の説明において、限定ではなく、説明の目的のために、特定のアーキテクチャ、インタフェース及び技術など、特有な詳細が本願発明の完全な理解を提供すべく記述される。しかし、当業者にとって明白であるように、本願発明はこれらの具体的な詳細を逸脱する他の実施形態において具現化されてもよい。他の例において、よく知られている機器、回路および方法についての詳細な説明は、不要な詳細によって本願発明の説明を覆い隠さないために省略される。
【００１５】
本願発明によれば、実際に採用される組み合わせだけが信号伝達されるように、異なるトランスポート・フォーマット組み合わせ（ＴＦＣ）には、異なるトランスポート・フォーマット組み合わせインジケータ（ＴＦＣＩ）が効率的な方法でもって割り当てられる。特に、本願発明によれば、上位レイヤーはレイヤー１に対し、使用されているＴＦＣＩを信号で伝えることで、各許可されたＴＦＣが一定のＴＦＣＩに対し一義的にマッピングされる。このマッピングを効率的な方法を用いて信号伝達するためには、上位レイヤーが、ＣＴＦＣ（計算により求められるトランスポート・フォーマットの組み合わせ）と呼ばれる値を計算により求める。ＣＴＦＣは数２を用いて計算により求められる。
【００１６】
【数２】
0004444540.tif 000003
ここで、ｉ＝１，２，．．．，Ｉであり、Ｌ０＝１であり、Ｌｊはフォーマット・インディケータＴＦＩｊについてのトランスポート・フォーマットの数を表している。
【００１７】
ＴＦＣ（ＴＦＩ１，ＴＦＩ２，Ｋ，ＴＦＩＩ）をトランスポート・フォーマット組み合わせとし、トランスポート・チャネルＴｒＣＨ１はトランスポート・フォーマットＴＦＩ１を有し、トランスポート・チャネルＴｒＣＨ２はトランスポート・フォーマットＴＦＩ２を有する如くとする。ここで、何れかのトランスポート・フォーマット組み合わせＴＦＣ（ＴＦＩ１，ＴＦＩ２，．．．，ＴＦＩＩ）について、対応するＣＴＦＣ（ＴＦＩ１，ＴＦＩ２，．．．，ＴＦＩＩ）は数３により算出することができる。
【００１８】
【数３】
0004444540.tif 000004
ここで、Ｉはトランスポート・チャネルの数を表している。
【００１９】
よって固有のＣＴＦＣ値は、ＴＦＩ１，ＴＦＩ２，．．．，ＴＦＩＩのうち可能なすべての組み合わせについて得られる。
【００２０】
許可されたトランスポート・フォーマット組み合わせのすべてについてＣＴＦＣ値を算出した後、ＣＴＦＣは順次信号により伝達される。ＴＦＣＩも同様の順序でで割り当てられ、すなわち、そのＣＴＦＣによって信号伝達される第１のＴＦＣはＴＦＣＩ＝０に対応することになり、その次はＴＦＣＩ＝１の如く対応することになる。
【００２１】
次のような（Ｃ言語で表現された）ロジックを使用して、あるＴＦＣのＣＴＦＣについてのＴＦＩを算出するのは直接的な求め方である。
【００２２】
ｍ＝ＣＴＦＣ；
ｉ＝Ｉ；
ｗｈｉｌｅ（Ｉ＞０）  ｛
ＴＦＩｉ＝ｆｌｏｏｒ（ｍ／Ｐｉ）；
ｍ＝ｍ％Ｐｉ；
ｉ＝ｉ−１；
｝
許可されたＴＦＣだけを信号伝達するための他の直接的な方法は、各ＴＦＣごとにそれぞれのトランスポート・チャネルのＴＦＩを信号伝達することである。しかしながら、提案された方式において必要とされるビット数は、常に、許可された組み合わせについてのＴＦＩの直接的な信号伝達のビット数以下となる。
【００２３】
直接的な方式において、１つのＴＦＣを信号伝達するのに必要となるビット数Ａは、次の通りである。
【００２４】
【数４】
0004444540.tif 000005
【００２５】
上述の方式において、１つのＴＦＣを信号伝達するのに必要となるビット数は、ＣＴＦＣ値がとり得る最大値ＣＴＦＣｍａｘに直接関連している。
【００２６】
【数５】
0004444540.tif 000006
【００２７】
提案方式におけるビット数Ｂは次の通りである。
【００２８】
【数６】
0004444540.tif 000007
【００２９】
従って、本願発明に係る上記方式において必要とされるビット数は、常に、直接方式に必要とされるビット数以下となる。
【００３０】
本願発明を適用可能な１つの環境は、ＵＭＴＳ地上無線アクセス（ＵＭＴＳは、一般移動体通信システムの略である。）である。この詳細については、ＵＴＲＡＮに関する様々なＥＴＳＩ規格を参照して頂きたい。信号伝達の詳細は、例えば、ＲＡＮ ＷＧ２において記述されている。
【００３１】
図１は、通信ネットワーク１８を示しており、とりわけ、ユーザー機器ユニット（ＵＥ）２０（例えば、携帯電話などの移動通信機器、または移動端末を有するラップトップなど）が、エアインタフェース（例えば、無線インターフェイス）２３を介して、１以上の基地局２２と通信している。図１には明示的に示されていないが、基地局２２は、地上回線（または電波）により、無線ネットワーク制御装置（ＲＮＣ）［いくつかのネットワークでは基地局制御局（ＢＳＣ）として知られている。］に接続されており、これらは一般に、回線交換電話ネットワーク（ＰＳＴＮ／ＩＳＤＮ）およびパケット交換ネットワークの少なくとも一方を介し、かつ、制御ノードを通して接続される。通信ネットワーク１８の上位レイヤー３０は、算出されたトランスポート・フォーマット組み合わせ（ＣＴＦＣ）発生器４０を含んでいる。これにより、上説のような算出されたトランスポート・フォーマット組み合わせ（ＣＴＦＣ）が発生される。
【００３２】
図１の矢印は、上位レイヤー３０から発生した算出トランスポート・フォーマット組み合わせ（ＣＴＦＣ）が、ノードＢ（例えば、基地局２２など）およびユーザー機器ユニット（ＵＥ）２０の受信機へと信号伝達されることを示している。上位レイヤー３０に関する機能は、例えば無線ネットワーク制御装置（ＲＮＣ）に配置される。算出トランスポート・フォーマット組み合わせ（ＣＴＦＣ）に基づいて、ノードＢとユーザー機器ユニット（ＵＥ）２０は、ＴＦＣＩ値が表している正確なトランスポート・フォーマットの組み合わせを決定することができる。
【００３３】
図２の例示的な実施形態において、通信ネットワーク１８はＵＭＴＳ地人無線アクセスネットワークの形式を採用している。この観点において、図２は、付加的で一般的な側面を有するユーザー機器ユニット（ＵＥ）２０、上位レイヤーのノード（無線ネットワーク制御装置３０として例示される）のような例示的ノード及び基地局ノード２２を示している。図２において示されたユーザー機器ユニット（ＵＥ）２０は、ユーザー機器ユニット（ＵＥ）に必要な様々な動作を制御するためのデータ処理・制御装置３１を含んでいる。ＵＥのデータ処理・制御装置３１は、アンテナ３５に接続された無線通信機（トランシーバ）３３にデータだけでなく制御信号をも供給する。図２に例示するような無線ネットワーク制御装置３０と基地局２２は、データ処理・制御装置３６及び３７をそれぞれそれぞれ備えた無線ネットワークノードである。データ処理・制御装置３６及び３７は、ＲＮＣ ３０とユーザー機器ユニット（ＵＥ）２０間での通信を指揮するのに必要な多くの無線処理とデータ処理に関する動作を実行する。基地局のデータ処理・制御装置３７により制御される機器の一部には、１以上のアンテナ３９に接続されている複数の無線通信機（トランシーバ）３８が含まれる。
【００３４】
ＲＮＣ ３０のデータ処理・制御装置は、ここに説明されるように、基地局２２とユーザー機器ユニット（ＵＥ）２０に伝達される一連（シリーズ）のＣＴＦＣ値を生成するＣＴＦＣ発生器４０を含む。ＣＴＦＣ発生器４０により実行される一定の基本動作は図３に関連して後述する。基地局２２では、ＣＴＦＣ値のシリーズは、ＣＦＴＣ／ＴＦＣＩ処理サブユニット４１に供給される。同様に、ユーザー機器ユニット（ＵＥ）２０では、ＣＴＦＣ値のシリーズは、ＣＦＴＣ／ＴＦＣＩ処理サブユニット４２に供給される。ＣＦＴＣ／ＴＦＣＩ処理サブユニット４１およびＣＦＴＣ／ＴＦＣＩ処理サブユニット４２により実行される様々な基本動作は図４及び図５に関連して後述する。
【００３５】
上述のＴＦＣＩマッピング方式についての例示的なシナリオのように、図２に関する文脈において、ＴＦＩ１，｛０，１，２｝，ＴＦＩ２，｛０，１，２｝，ＴＦＩ３，｛０，１｝であるような３つのトランスポート・チャネルがあると仮定する。さらに、ＴＦＩ１＝ ０のときは、ＴＦＩ２とＴＦＩ３のどのような組み合わせも可能であり、一方で、ＴＦＩ１が０でないときは、ＴＦＩ２およびＴＦＩ３はともに０でなければならないと仮定する。
【００３６】
図３は、ＣＴＦＣ発生器４０に含まれる例示的な基本ステップを示している。ＣＴＦＣ発生器４０は、基地局２２とユーザー機器ユニット（ＵＥ）２０に伝達される必要がある一連のＣＴＦＣ値を生成する。ステップ３−１において、ＣＴＦＣ発生器４０は、一連のＣＴＦＣ値の発生に使用されるＰｉの値を決定する。前述の仮定により説明された例示的シナリオに関して、式１によりＰ１からＰ３の値が以下のように与えられる。
【００３７】
Ｐ１＝Ｌ０＝１
Ｐ２＝Ｌ０ｘＬ１＝１ｘ３＝３
Ｐ３＝Ｌ０ｘＬ１ｘＬ２＝１ｘ３ｘ３＝９
ステップ３−２において、ＣＴＦＣ発生器４０は、トランスポート・フォーマットの有効な組み合わせのそれぞれについてＣＴＦＣ値を計算する。トランスポート・フォーマットトのすべての組み合わせ有効というわけはないので、ＣＴＦＣ発生器４０は、トランスポート・フォーマットの組み合わせのうち有効なものだけについてＣＴＦＣ値を計算するようにしてもよい。前述のシナリオについて、表１には、（かなり多数の可能な組み合わせのうちから）８つの有効な組み合わせと、有効な組み合わせごとに計算されたＣＴＦＣが掲載されている。
【００３８】
【表１】
0004444540.tif 000008
【００３９】
例えば、表１から見てわかるように、個々の有効な組み合わせはそれぞれ異なるＣＴＦＣを結果として生じさせる。可能な組み合わせを表示すべく、ステップ３−３において、ＣＴＦＣ （０，３，６，９，１２，１５，１，２）のシーケンスがノードＢ（基地局２２）とユーザー機器（ＵＥ）２０に信号伝達される。各ＣＴＦＣには順番にＴＦＣＩ値が割り当てられる。ステップ３−４において、ＣＴＦＣ発生器４０がＴＦＣＩ値をシリーズのＣＦＴＣ値のそれぞれに割り当て、割り当て同じものを例えばテーブルなどに記憶する。割り当て及び記憶のステップ３−４はステップ３−３の信号伝達に先行して実行されてもよい。
【００４０】
図４は、（例えばステップ３−３において信号で伝えられる）ＣＴＦＣ値のシリーズを受信した際に、基地局２２またはユーザー機器ユニット（ＵＥ）２０において実行される一定の基本ステップを示している。ＣＴＦＣ値のシリーズを実際に受信するステップはステップ４−１に記述されている。ステップ３−４と同様の方法でステップ４−２においては、ＣＦＴＣ／ＴＦＣＩ処理サブユニット４１と４２が、シリーズとなっている個々のＣＦＴＣ値にＴＦＣＩ値を割り当て、将来の基準とすべく、同一の割り当て内容を記憶しておく。
【００４１】
ＣＴＦＣに基づいて、ノードＢとＵＥは（ノードＢとＵＥ間で通信するために使用される）ＴＦＣＩ値が表しているトランスポート・フォーマットの組み合わせを決定することができる。この例において、各ＣＴＦＣを信号伝達するには４ビットが必要となり、すなわち、信号伝達のためにトータルで必要となるビット数は、８ｘ４＝３２ビットとなる。単純にすべての組み合わせについてのＴＦＩを信号伝達するためには、８ ｘ （２＋２＋１）＝ ４０ビットが必要となる。よって、本願発明では節約が実現される。
【００４２】
その後、ネットワークによりＴＦＣＩを通知されるときには、基地局２２のＣＦＴＣ／ＴＦＣＩ処理サブユニット４１、またはユーザー機器ユニット（ＵＥ）２０のＣＦＴＣ／ＴＦＣＩ処理サブユニット４２が、図５に例示された基本ステップを実行する。ステップ５−１はＴＦＣＩの実際の受信を示している。ステップ５−２において、ＣＦＴＣ／ＴＦＣＩ処理サブユニットは、対応するＣＴＦＣ値を決定するために、受信されたＴＦＣＩを用いる。このような決定は、例えばステップ４−２においてきおくされたテーブルを参照することによって実行される。ステップ５−３において、ＣＦＴＣ／ＴＦＣＩ処理サブユニットは、ステップ５−２で決定されたＣＴＦＣ値からトランスポート・フォーマットの組み合わせを決定する。
【００４３】
従って、トランスポート・フォーマットの組み合わせインディケータ（ＴＦＣＩ）は、ＣＣＴｒＣＨのトランスポート・フォーマット組み合わせを受信機に通知することができる。ＴＦＣＩが検出されるやいなや、トランスポート・フォーマットの組み合わせ及び各トランスポート・チャネルごと個別のトランスポート・フォーマットが把握されることになり、トランスポート・チャネルの復号が実行可能となる。本願発明によれば、計算により求められたトランスポート・フォーマット組み合わせ（ＣＦＴＣ）を使用して、上位レイヤーから信号伝達される一定のトランスポート・フォーマットの組み合わせをＴＦＣＩは示している。信号伝達されたＣＴＦＣは、一定のＴＦＣＩ値と一義的に関連している。どのようにして信号伝達が実行されるかは、上位レイヤーの仕様書において説明されている。どのようにしてＣＴＦＣが構成されているかも上位レイヤーの仕様書において説明されている。
【００４４】
従って、算出されたトランスポート・フォーマットの組み合わせ（ＣＴＦＣ）は、ＴＦＣＩ値が割り当てられるトランスポート・フォーマットの組み合わせを効率的に信号伝達するためのツールとなる。
【００４５】
例示されるようにＣＴＦＣ発生器４０の機能およびＴＦＣＩ処理サブユニット４１と４２の機能は、データ処理・制御装置により実現できる。このようなデータ処理・制御装置が各ノードのための他のタスクを実行してもしなくてもよいことは理解されるべきである。さらに、ＣＴＦＣ発生器４０の機能およびＴＦＣＩ処理サブユニット４１と４２の機能は、このような目的のために設定された（例えば）電気回路などの他の手段によっても代替的に実行可能である。
【００４６】
最も実用的で好ましいと考えられる実施形態に関して本願発明は説明されてきたが、本願発明が開示された実施形態に限定される必要がないことは理解されなければならない。それどころか、本願発明は、添付の請求項に係る範囲と思想に含まれる様々な部分変更および均等の構成を包含することを意図されている。
【図面の簡単な説明】
本願発明に関する前述の目的及び他の目的、特徴及び効果は添付の図面において例示された好ましい実施形態についてのより詳細な説明によってより明白になろう。様々な観点を通して同一の部分には同一の参照符号が付されている。図面には、スケール化や強調などは必要なく、その代わり発明の基本原理が開示されている。
【図１】  通信ネットワークの方式的な観点を示しており、ノード又はユーザ機器ユニットへのＣＴＦＣ値の列（シリーズ）を信号伝達する点を例示した図である。
【図２】  ＵＭＴＳ地上無線アクセスネットワークの方式的な観点であって、ＣＴＦＣ値の列の信号伝達内容の一例であり、ユーザ機器ユニット（ＵＥ）局、基地局及び無線ネットワーク制御装置を詳細に示している図である。
【図３】  無線アクセスネットワークのレイヤー１から基地局ノード及びユーザ機器ユニット（ＵＥ）に対し、ＣＴＦＣ値の列の算出処理と、その送信処理において採用される例示的なステップのフローチャートである。
【図４】  無線アクセスネットワークのレイヤー１からＣＴＦＣ値列を受信した際に、基地局又はユーザ機器ユニット（ＵＥ）によって実行される例示的なステップのフローチャートである。
【図５】  ＴＦＣＩ（トランスポート・フォーマット組み合わせインディケータ）値を受信した際にトランスポート・フォーマット組み合わせを決定すべく、基地局又はユーザ機器ユニット（ＵＥ）によって実行される例示的なステップのフローチャートである。
【図１】
0004444540.tif 000013
【図２】
0004444540.tif 000014
【図３】
0004444540.tif 000015
【図４】
0004444540.tif 000016
【図５】
0004444540.tif 000017